(57)【要約】【課題】多くの裁縫道具を収容可能で、しかも小型に形成でき、製造コストも低く抑えることができる裁縫道具箱を提供すること。【解決手段】箱状の本体１１と、該本体を開閉する蓋部１４と、該蓋部の内側に一辺が一体に接合され、前記本体上に載置可能とした中蓋状の押え部材１５と、前記本体内の仕切りを省除することにより大きな収容空間Ｓを形成した裁縫道具箱。【選択図】図４
0003125377.tif 000002
【実用新案登録請求の範囲】
【請求項１】
箱状の本体と、
該本体を開閉する蓋部と、
該蓋部の内側に一辺が一体に接合され、前記本体上に載置可能とした中蓋状の押え部材と
を備えており、
前記本体内の仕切りを省除することにより大きな収容空間を形成したことを特徴とする裁縫道具箱。
【請求項２】
前記本体が矩形とされることで、前記収容空間が矩形の大きな空間とされることを特徴とする請求項１に記載の裁縫道具箱。
【請求項３】
前記押え部材には、ポケット状の収納部を設けたことを特徴とする請求項１または２に記載した裁縫道具箱。
【請求項４】
前記蓋部の裏側には、裁縫道具の一部を差し込んで保持するための差し込み保持部を設けたことを特徴とする請求項１ないし３のいずれかに記載の裁縫道具箱。
【請求項５】
前記本体および前記蓋部の外面が布製またはエナメル製であることを特徴とする請求項１ないし４のいずれかに記載の裁縫道具箱。
【考案の詳細な説明】
【技術分野】
【０００１】
本考案は、主として小学校や中学校に通う児童・生徒が、授業で使用する裁縫道具を収容して持ち歩くための裁縫道具箱の改良に関するものである。
【背景技術】
【０００２】
小学校や中学校の家庭科学習においては、裁縫を学習する時間があり、そのため児童・生徒は、裁縫道具を携行しなければならない。このため、裁縫道具を収容して持ち運ぶための裁縫箱もしくは裁縫道具箱が広く使用されている。
本出願人自身、裁縫道具箱について実用新案登録し、特に、種々の裁縫道具を効率良く収容して、該裁縫道具箱を使用することで、学校等の作業においては、机上のスペースを広く使用できるようにしたことを内容とする提案をしている（特許文献１参照）。
【０００３】
【特許文献１】実用新案登録第３１０２７５０号公報
【考案の開示】
【考案が解決しようとする課題】
【０００４】
しかしながら、特許文献１の裁縫箱では、複数もしくは多数の裁縫道具を種類毎に整理するための便宜のため、箱本体内に仕切りを設けて、区分エリアを作ったり、また、蓋を開いて吊るせるようにした収納用のボードを折り畳める構成にしたりしたために、部品点数が増えたり、複雑な構造を採用することから製造コストが上昇するという問題があった。
また、多くの裁縫道具を整理収納するための上記各構成を箱内部に形成したために、箱全体が必要以上に大きくなってしまい、箱自体が机の上で載置スペースを取り、さらに、持ち運びにも不便であるという問題がある。
【０００５】
そこで、本考案は、多くの裁縫道具を収容可能で、しかも小型に形成でき、製造コストも低く抑えることができる裁縫道具箱を提供することを目的とする。
【課題を解決するための手段】
【０００６】
上記目的は、第１の考案にあっては、箱状の本体と、該本体を開閉する蓋部と、該蓋部の内側に一辺が一体に接合され、前記本体上に載置可能とした中蓋状の押え部材とを備え、前記本体内の仕切りを省除することにより大きな収容空間を形成した裁縫道具箱により、達成される。
【０００７】
第１の考案の構成によれば、箱状の本体は蓋部で閉じることができ、裁縫道具を収容して、中蓋状の押え部材により確実に押え、内部に収納することができる。
この場合、本体内には仕切りを無くして大きな収容空間を確保したので、比較的サイズの大きな裁縫道具でも収納できるし、しかも仕切り分のスペースを除くことで、全体のサイズを小さくすることができる。
また、仕切りを用意するのに要した費用が削減されることで、その分製造コストを低減することができる。
これにより、全体のサイズが小さくされたことで、机上のスペースを多くとることなく、また、持ち運びの上でもコンパクトで携行しやすい。
【０００８】
第２の考案は、第１の考案の構成において、前記本体が矩形とされることで、前記収容空間が矩形の大きな空間とされることを特徴とする。
第２の考案の構成によれば、矩形の大きな空間により、多くの裁縫道具をまとめて収納しやすいし、持ち運ぶ上でも形状的に持ちやすい。
【０００９】
第３の考案は、第１または第２の考案のいずれかの構成において、前記押え部材には、ポケット状の収納部を設けたことを特徴とする。
第３の考案の構成によれば、前記押え部材に、ポケット状の収納部を備えたので、本体内の仕切りを省略した分、本体内に収容しにくい裁縫道具を、このポケット状の収納部に収容することができる。
【００１０】
第４の考案は、第１ないし３のいずれかの考案の構成において、前記蓋部の裏側には、裁縫道具の一部を差し込んで保持するための差し込み保持部を設けたことを特徴とする。
第４の考案の構成によれば、蓋部の裏側には、裁縫道具の一部を差し込んで保持するための差し込み保持部を設けたので、本体内の仕切りを省略した分、本体内に収容しにくい裁縫道具を、この差し込み保持部に収容することができる。
【００１１】
第５の考案は、第１ないし４のいずれかの考案の構成において、前記本体および前記蓋部の外面が布製またはエナメル製であることを特徴とする。
【００１２】
【考案の効果】
【００１３】
本考案は、上述のような構成を有することから、多くの裁縫道具を収容可能で、しかも小型に形成でき、製造コストも低く抑えることができる裁縫道具箱を提供することができる。
【考案を実施するための最良の形態】
【００１４】
以下、この考案の好適な実施の形態を添付図面等を参照しながら詳細に説明する。
尚、以下に述べる実施の形態は、本考案の好適な具体例であるから、技術的に好ましい種々の限定が付されているが、本考案の範囲は、以下の説明において特に本考案を限定する旨の記載がない限り、これらの態様に限られるものではない。
【００１５】
図１は、本考案の実施の形態に係る裁縫道具箱の概略斜視図、図２は裁縫道具箱の開蓋状態の概略平面図、図３および図４は、それぞれ裁縫道具箱の開蓋状態の概略斜視図である。
これらの図を適宜参照しながら、本考案の実施形態を詳細に説明する。
【００１６】
図１において、裁縫道具箱１０は、全体としてやや細長い矩形の形態であり、箱状の本体１１と、この本体１１に一体に形成されていて、三辺にファスナー１２を巡らせることによって、該ファスナー１２により開閉できるようにされた蓋部１４とを備えたポーチ状の形態である。
裁縫道具箱１０は、蓋部１４を含めて、その外面が例えば布張りとされており、保持した際にも肌触りがソフトで冷たい感触がなく、取り扱いがし易い。
また、外面に把手１３が設けられており、これを把持して携行できるようにされている。
【００１７】
本実施形態の裁縫道具箱１０は、縦寸法Ａ；約１０ｃｍ、横寸法Ｂ；約２４ｃｍ、高さ寸法Ｃ；約４．５ｃｍという寸法であり、従来の裁縫道具箱の１３ｃｍ×２４ｃｍ×５ｃｍという寸法と比べるとかなり小型にコンパクトに形成されている。
本実施形態の裁縫道具箱１０が、このようにコンパクトなサイズを実現するために、以下のような構造を採用している。
【００１８】
図３と図４の斜視図を参照して理解されるように、ファスナー１２を解除して、蓋部１４を開くと、内部が露出される。この状態で、蓋部１４の基部の近傍には、一辺が蓋部１４の内側に一体に接合され、図３に示すように、本体１１上に載置可能とした中蓋状の押え部材１５が設けられている。
図４はこの押え部材１５をめくった状態を示しており、押え部材１５の下には、本体１１が有する内部空間Ｓが露出する。
【００１９】
すなわち、本体１１は矩形の箱状であり、その内側は、仕切りなどが全て省かれて、全体をひとつの収容空間として使用できるようにされている。
このため、従来のように、仕切り部材が存在した分だけ全体のサイズが大きくなるということがなく、また、その分部品代がかからず、手間も省けるので、製造コストを安くすることができる。
【００２０】
ここで、収容空間Ｓには多くの裁縫道具がまとめて入れられるので、仕切りにより空間が小分けされている場合よりも全体として小さな容積でも、仕切りがある場合と同等かそれ以上の裁縫道具が収容できる。
そのため、小学校や中学校で児童・生徒が家庭科などで裁縫の授業を受ける場合には、机上にこの裁縫道具箱１０を載置して作業を行う際に、従来のケースもしくは裁縫箱よりも場所をとらず、作業しやすい利点がある。
【００２１】
さらに、本体１１の収容空間Ｓをひとつの大きな空間としたことで、道具の種類によっては、収納上整理が悪く、使いかってに劣る場合があることを考慮して、図２および図３に示すように、蓋部１４の裏側に収納部である差し込み保持部１６を設けている。
すなわち、差し込み保持部１６は、ポケット状の構造でなり、厚みはそれほど大きくないが、比較的深い袋状部分を備えている。これにより、差し込み式に収納が可能となっており、例えば、図２に示されているように、裁ちばさみ２１などの長さ寸法の比較的大きいものの一部を差し込むようにして収納するのに適している。また、このような収納状態は、裁ちばさみの半分程度が露出されているから、抜き差しが可能であるから使用しやすい。
【００２２】
同様にして、押え部材１５にもポケット状の収納部１７が形成されている。この収納部１７は、蓋部１４の裏の収納部１６と相違して、開口幅が広く、深さは収納部１６よりも浅い袋状となっている。
これにより、例えば、裁縫用の小物類等を挟み込むようにして収納するのに適している。
【００２３】
本実施形態は以上のように構成されており、箱状の本体１１は蓋部１４で閉じることができ、多数の裁縫道具を収容してこれらが動かないように、中蓋状の押え部材１５により確実に押え、押えた状態で収納することができる。
この場合、本体内には仕切りを無くして大きな収容空間Ｓを確保したので、比較的サイズの大きな裁縫道具でも収納できるし、しかも仕切り分のスペースを除くことで、全体のサイズを小さくすることができる。
また、仕切りを用意するのに要した費用が削減されることで、その分製造コストを低減することができる。
これにより、サイズが小さくされたことで、机上のスペースを多くとることなく、また、持ち運びの上でもコンパクトで携行しやすい。
【００２４】
本考案は、上述の実施の形態に限定されるものではない。
例えば、全体形状は矩形からより丸みを帯びた形状等にすることができる。
本体１１の内部により多くの収納部を形成することも可能であるし、収納部の一部を省略することもできる。
上記実施形態の構成その一部を省略して、上述の説明で言及することのない他の構成と組み合わせてもよい。
【図面の簡単な説明】
【００２５】
【図１】本考案の実施の形態に係る裁縫道具箱の概略斜視図。
【図２】図１の裁縫道具箱の蓋部を開いた状態における概略平面図。
【図３】図１の裁縫道具箱の蓋部を開いた状態における概略斜視図。
【図４】図１の裁縫道具箱の蓋部を開いた状態における概略斜視図。
【符号の説明】
【００２６】
１０・・・裁縫道具箱、１１・・・本体、１２・・・ファスナー、１４・・・蓋部、１５・・・押え部材、１６・・・差し込み保持部、１７・・・収納部
【図１】
0003125377.tif 000003
【図２】
0003125377.tif 000004
【図３】
0003125377.tif 000005
【図４】
0003125377.tif 000006